(57)【要約】【課題】短い時間間隔で異なる周波数のパルス電磁波を出射するパルス電磁波発生装置および計測装置を提供する。【解決手段】励起光源と、前記励起光源からの励起光が入射するレーザー共振器と、パルス発生部と、前記パルス発生部から発生するパルス光群を入射し、前記パルス光群の各パルスを波長変換したパルス電磁波を発生する波長変換部と、を有するパルス電磁波発生装置であって、前記励起光源の１回の励起行程において、周波数（ω）および発振タイミング（ｔ）の異なる少なくとも２つ以上のパルス光を含むパルス光群を発生し、前記パルス光群における各パルス光の発振周波数差（Δω）は、前記レーザー共振器の縦モード間隔の整数倍である。【選択図】図１
2019160977.tif 000002
【特許請求の範囲】
【請求項１】
励起光源と、前記励起光源からの励起光が入射するレーザー共振器と、パルス発生部と、前記パルス発生部から発生するパルス光群を入射し、前記パルス光群の各パルスを波長変換したパルス電磁波を発生する波長変換部と、を有するパルス電磁波発生装置であって、
前記励起光源の１回の励起行程において、周波数（ω）および発振タイミング（ｔ）の異なる少なくとも２つ以上のパルス光を含むパルス光群を発生し、
前記パルス光群における各パルス光の発振周波数差（Δω）は、前記レーザー共振器の縦モード間隔の整数倍である、
ことを特徴とするパルス電磁波発生装置。
【請求項２】
前記パルス発生部は、Ｑスイッチ素子である、
ことを特徴とする請求項１に記載のパルス電磁波発生装置。
【請求項３】
前記波長変換部は、
前記パルス光発生装置とは異なる周波数のレーザー光を発振するレーザー光源と、
前記パルス光群と前記レーザー光の周波数差の周波数のパルス電磁波を発生させる波長変換素子と、
を備えることを特徴とする請求項１または２に記載のパルス電磁波発生装置。
【請求項４】
前記波長変換素子は、酸化マグネシウム添加のニオブ酸リチウム（ＭｇＯ：ＬｉＮｂＯ３）結晶である、
ことを特徴とする請求項３に記載のパルス電磁波発生装置。
【請求項５】
請求項１ないし４の何れか一項に記載のパルス電磁波発生装置と、
前記パルス電磁波発生装置から発生した発振周波数および発振時間の異なるパルス電磁波を時間的に分離して検出できる検出器と、
を備えることを特徴とする計測装置。
【発明の詳細な説明】
【技術分野】
【０００１】
本発明は、パルス電磁波発生装置および計測装置に関する。
【背景技術】
【０００２】
近年、大気中の二酸化炭素や水蒸気濃度を計測する環境計測や、テロや危険物質の横行を未然に防止するためのガスセンシングなど、高速かつ高感度な分子計測（定量評価）装置の需要が高まっている。その中の一つに、気体に対して特長的な吸収スペクトル（指紋スペクトル）を持つテラヘルツ波を利用したガスセンシングが注目されている。
【０００３】
差分吸収ライダ（LiDAR）は、測定対象の吸収波長に周波数を合わせたＯＮ波長と、ＯＮ波長から周波数をずらしたＯＦＦ波長とを用いて、分子計測・濃度計測を行う分光方法である。差分吸収ライダ（LiDAR）は、大気中の二酸化炭素濃度の計測などに利用されている。
【０００４】
テラヘルツ波帯は、様々な物質の指紋スペクトルが多く存在する周波数領域であり、テラヘルツ波を用いた分子計測は、医療・セキュリティなど様々な分野から注目されている。テラヘルツ波光源のひとつとして、非線形光学効果を利用した光注入型テラヘルツ波パラメトリック発生方式（is-TPG）がある。is-TPGによって発生するテラヘルツ波の周波数は、非線形光学結晶に入射するポンプ光とシード光の周波数差によって決定される。このis-TPGでは、ポンプ光として高ピークパワーが必要であることから固体レーザーが使用される。すなわち、ポンプ光の発振波長は固体レーザーのレーザー媒質によっておおよそ決定される。
【０００５】
特許文献１には、is-TPGを用いたテラヘルツ分光において、波長可変機能を有するシード光源の波長を掃引することで、テラヘルツ波帯の周波数スペクトルを取得する技術が開示されている。
【発明の概要】
【発明が解決しようとする課題】
【０００６】
しかしながら、特許文献１に記載の技術によれば、テラヘルツ波の周波数を切り替える速度は固体レーザーの繰り返し周波数によって制限されてしまい、その繰り返し周波数は１００Ｈｚオーダーである。このため、従来のテラヘルツ光源を用いて、気流のある環境下にあるガスなど、環境状況によって濃度変化が生じやすい物質を測定する場合、テラヘルツ波の周波数を切り換えて測定する間に、すなわち固体レーザーを発振させるまでの間に、測定対象の状態が変化し、測定精度が劣化することが課題として挙げられる。
【０００７】
本発明は、上記に鑑みてなされたものであって、短い時間間隔で異なる周波数のパルス電磁波を出射するパルス電磁波発生装置および計測装置を提供することを目的とする。
【課題を解決するための手段】
【０００８】
上述した課題を解決し、目的を達成するために、本発明は、励起光源と、前記励起光源からの励起光が入射するレーザー共振器と、パルス発生部と、前記パルス発生部から発生するパルス光群を入射し、前記パルス光群の各パルスを波長変換したパルス電磁波を発生する波長変換部と、を有するパルス電磁波発生装置であって、前記励起光源の１回の励起行程において、周波数（ω）および発振タイミング（ｔ）の異なる少なくとも２つ以上のパルス光を含むパルス光群を発生し、前記パルス光群における各パルス光の発振周波数差（Δω）は、前記レーザー共振器の縦モード間隔の整数倍である、ことを特徴とする。
【発明の効果】
【０００９】
本発明によれば、環境状況によって濃度変化が生じやすい物質を測定する場合、測定対象の状態が変化し、測定精度が劣化することを防止することができる、という効果を奏する。
【図面の簡単な説明】
【００１０】
【図１】図１は、実施の形態にかかる計測装置の構成を示す図である。
【図２】図２は、マイクロチップレーザーの構成を示す図である。
【図３】図３は、パルス光の例を示す図である。
【図４】図４は、マイクロチップレーザーの発振スペクトルの一例を示す図である。
【図５】図５は、ホールバーニング効果とレーザーの発振波長の関係を示す図である。
【図６】図６は、パルス電磁波発生装置の概略を示す図である。
【図７】図７は、周波数軸および時間軸でのテラヘルツ波について示した図である。
【図８】図８は、マイクロチップレーザーからの光パルスおよびテラヘルツ波パルスの測定結果を示す図である。
【図９】図９は、２パルス発振状態での水蒸気の吸収スペクトルの測定結果を示す図である。
【図１０】図１０は、計測装置を示す図である。
【図１１】図１１は、周波数軸および時間軸でのテラヘルツ波について示した図である。
【図１２】図１２は、ＳＢＤでのテラヘルツ波の検出信号を示す図である。
【図１３】図１３は、差分吸収計測におけるテラヘルツ波の周波数の設定を示す図である。
【図１４】図１４は、テラヘルツ波パルス強度の時間変化を示す図である。
【図１５】図１５は、図１４の第１パルス−第２パルスの強度の差分を示す図である。
【発明を実施するための形態】
【００１１】
以下に添付図面を参照して、パルス電磁波発生装置および計測装置の実施の形態を詳細に説明する。
【００１２】
図１は、実施の形態にかかる計測装置１の構成を示す図である。図１に示すように、計測装置１は、パルス電磁波発生装置２と、検出器３と、を備えている。パルス電磁波発生装置２は、パルス光発生装置４と、波長変換部５と、を備えている。検出器３は、パルス電磁波発生装置２から発生するテラヘルツ波（ＴＨｚ波）パルスを検出する。
【００１３】
図１に示すように、パルス光発生装置４は、高ピークパワーの短パルスレーザー光を発振するマイクロチップレーザー６を備える。
【００１４】
図１に示すように、波長変換部５は、シード光源である単一波長の連続波を発振する半導体レーザーであるシードレーザー（ＣＷ−Ｌａｓｅｒ）１１を備えている。また、波長変換部５は、ノンコリニア位相整合のパラメトリック発生を可能とする非線形光学結晶のニオブ酸リチウム結晶（ＭｇＯ：ＬｉＮｂＯ３結晶）を用いて単色性のテラヘルツ波を発生する光注入型テラヘルツ波パラメトリック発生方式（is-TPG）の波長変換素子１２を備えている。
【００１５】
マイクロチップレーザー６は、励起光源であるファイバー結合型高出力ＶＣＳＥＬ（面発光型半導体レーザー）７と、レーザー共振器８と、を備えている。レーザー共振器８は、ＶＣＳＥＬ７からの励起光を受けて高ピークパワーの短パルスレーザーを発生するＮｄ：ＹＡＧ／Ｃｒ：ＹＡＧコンポジット結晶１０を有する。Ｃｒ：ＹＡＧは、パルス発生部（Ｑスイッチ素子）である。Ｎｄ：ＹＡＧ／Ｃｒ：ＹＡＧコンポジット結晶１０は、励起光入射面にＡＲ８０８ｎｍ／ＨＲ１０６４ｎｍのコーティング、出射面にＲ＝３０〜７０％＠１０６４ｎｍのコーティングを施されている。また、レーザー共振器８は、共振器ミラー９を有する。
【００１６】
ここで、図２はマイクロチップレーザー６の構成を示す図、図３はパルス光の例を示す図である。図２に示すように、マイクロチップレーザー６は、ＶＣＳＥＬ７からの励起光を光ファイバーで伝送して、Ｎｄ：ＹＡＧ／Ｃｒ：ＹＡＧコンポジット結晶１０に入射する。
【００１７】
図３に示すように、ＶＣＳＥＬ７の発光時間は０．５〜１ｍｓで、発光の繰り返し周波数は１〜１００Ｈｚである。マイクロチップレーザー６からは、ＶＣＳＥＬ７の発光期間中に１０ｋＨｚ程度の間隔で高ピークパワーのパルスを発振する。最終的に発振するパルス数は、パルスの発信時間間隔と、ＶＣＳＥＬ７の発振時間および出力強度によって決定される。
【００１８】
なお、励起光源は、レーザー媒質であるＮｄ：ＹＡＧの吸収波長を発光する光源であれば、ＶＣＳＥＬ７に限らず端面発光型レーザーなどであっても良い。また、本実施形態では光ファイバー１３で励起光を伝送し、レーザー媒質に集光させていたが、ＶＣＳＥＬ７から直接レーザー媒質へ集光させても良い。
【００１９】
図４は、マイクロチップレーザー６の発振スペクトルの一例を示す図である。図４に示す例は、マイクロチップレーザー６において、１パルスのみの発振波長（実線）と、２パルス目が発振した直後の１パルス目と２パルス目の発振波長を合わせて測定した結果（破線）を示したものである。
【００２０】
図４に示すように、１パルスのみ発振している時は、波長のピークは１つであったが、２パルスを同時に計測した時は、ピーク波長が２つになっていることが確認される。その一方のピーク波長が、１パルスのみ発振させた際のピーク波長と一致していることから、２パルス目が別のピーク波長で発振していることが分かる。
【００２１】
加えて、１パルス目のピーク波長は１０６４．３８ｎｍに対して、２パルス目のピーク波長は１０６４．３４ｎｍであり、その波長差は０．０４ｎｍである。一方、このときのマイクロチップレーザー６に用いられた共振器長は７ｍｍであり、屈折率（ｎ＝１．８２）を考慮した時のレーザー共振器８の縦モード間隔は△λ＝０．０４ｎｍと求められるため、１パルス目と２パルス目の波長差と一致する。すなわち、マイクロチップレーザー６から複数パルス発振させた場合、パルスごと発振波長はマイクロチップレーザー６のレーザー共振器８の縦モード間隔の分だけ変化して発振することが確認された。
【００２２】
次に、発振波長の変化について説明する。
【００２３】
ここで、図５はホールバーニング効果とレーザーの発振波長の関係を示す図である。図５に示すように、レーザー媒質は不均一に広がる利得を持つ。一方、レーザーの発振波長は、レーザー共振器８の共振器長とレーザー共振器８の屈折率から決定される縦モード間隔δｆ＝ｃ／２ｎＬの整数倍と、レーザー媒質の利得で決定される。レーザー媒質の利得中で発振しやすい波長は、縦モード間隔δｆで決定されている。レーザー媒質が励起され、利得が十分に高くなり、反転分布を形成すると、縦モードの中で最も利得の高い波長で発振する。このレーザー発振をした時、レーザー媒質の利得は発振波長で利得が下がるホールバーニングが起きる。
【００２４】
次のレーザー発振までの時間が十分に長い場合は、発振波長の利得が回復し、同じ波長のレーザー光を発振する。しかし、次のレーザー発振までの時間が十分に短い場合、利得は回復することなく反転分布を形成するため、レーザー光はレーザー共振器８の共振器長中の縦モードの中で、次に利得の高い波長で発振する。すなわち、レーザー光を非常に短い時間間隔で発振させた場合、ホールバーニング効果により、発振波長が変化し、その変化量はレーザー共振器８の縦モード間隔に依存する。このホールバーニング効果は、本実施の形態で扱ったＮｄ：ＹＡＧに限らず、すべてのレーザー媒質の起こりうる現状であるため、レーザー媒質刃Ｎｄ：ＹＡＧに限定しない。
【００２５】
従来のis-TPG方式テラヘルツ波光源では、１回のテラヘルツ波の発生サイクルにおいて、すなわち励起光源によるマイクロチップレーザーの１回の励起行程において、固体レーザーから単一波長のレーザー光を発振させる。そのため、発生するテラヘルツ波の波長を変化させたい場合、シード光源に波長可変機能を持たせる必要があるのに加え、発生するテラヘルツ波の周波数を切り換えられる時間間隔は固体レーザーの繰り返し周波数に依存する。
【００２６】
本実施の形態では、レーザー共振器８の構造や励起光の励起条件を変え、１回の励起行程で少なくとも２つ以上の高ピークパワー・短パルスレーザー光を異なる発振時間で発振するマイクロチップレーザー６をポンプ光源（励起光源）として用いる。マイクロチップレーザー６から１回の励起行程で複数のパルスを異なる発振時間で発振させる場合、ホールバーニング効果により、発振パルスごと発振波長が異なり、発振波長の変化量はマイクロチップレーザー６のレーザー共振器８の縦モード間隔によって制御される。
【００２７】
ここで、図６はパルス電磁波発生装置２の概略を示す図、図７は周波数軸および時間軸でのテラヘルツ波について示した図である。図６に示すように、パルス電磁波発生装置２は、is-TPG方式テラヘルツ波光源を用いたものである。
【００２８】
図７に示すように、マイクロチップレーザー６から発振する第１のパルスとシードレーザー１１の周波数差Δｆとして、位相整合角でＭｇＯ：ＬｉＮｂＯ３結晶である波長変換素子１２に入射すると、中心周波数がΔｆのテラヘルツ波が発生される。そして、マイクロチップレーザー６から発生した第２パルスは、第１パルスに比べてレーザー共振器８の縦モード間隔δｆの分だけ周波数がずれることから、中心周波数Δｆ＋δｆのテラヘルツ波が発生する。
【００２９】
上記のように発振時間および発振波長の異なるパルスを１回の励起行程で発振するマイクロチップレーザー６をポンプ光源（励起光源）として用いることで、シード光に波長可変機能を必要とせず、１回の励起行程において周波数の異なる複数のテラヘルツ波パルスを時間的に分離して発生させることが可能になる。加えて、マイクロチップレーザー６から発振されるパルスの時間間隔は、励起条件等によるが、数ｋ〜数十ｋＨｚオーダーであり、固体レーザーの繰り返し周波数よりも一桁以上高速である。すなわち、従来のis-TPG式テラヘルツ波光源と異なり、１回の励起行程で、少なくとも２つ以上の周波数情報が獲得でき、獲得のための時間間隔が短い。加えて、シード光に波長可変機能を必要としないことから、システム構成が簡略化される。
【００３０】
なお、本実施の形態では、ＭｇＯ：ＬｉＮｂＯ３結晶を用いたis-TPG方式テラヘルツ波光源を述べたが、ＭｇＯ：ＬｉＮｂＯ３結晶に限定せず、ＫＴＰやＳｉＯ２、ＧａＡＳ、ＧａＰなどの無機系の非線形光学結晶でも、ＤＡＳＴやＢＮＡの有機系の非線形光学結晶であっても良い。
【００３１】
ここで、図８はマイクロチップレーザー６からの光パルスおよびテラヘルツ波パルスの測定結果を示す図である。図８は、下から順に、１パルス、２パルス、３パルスを１回の励起行程で発振させた時の時間波形である。各波形を比較すると、マイクロチップレーザー６を２パルス以上発振させた時、テラヘルツ波パルスもマイクロチップレーザー６と同じ時間間隔で発振していることが確認できる。
【００３２】
ここで、図９は２パルス発振状態での水蒸気の吸収スペクトルの測定結果を示す図である。図９は、マイクロチップレーザー６を図４に示した条件で２パルス発振させた状態で、シードレーザー１１に波長可変レーザーを用いて、水蒸気の吸収スペクトルを測定した結果である。分光の際、発振する第１のテラヘルツ波パルスと第２のテラヘルツ波パルスそれぞれの強度を独立に検出した。
【００３３】
図９から分かるように、第１と第２それぞれのパルスで水蒸気の特徴的なスペクトルが検出されているが、第２のスペクトルは第１のスペクトルに比べて１１ＧＨｚ低周波数側にシフトしていることが分かる。なぜなら、１回の励起行程中において、シード光源の波長は一定に保っている一方、ポンプ光（励起光）の第１パルスと第２パルスは波長が変化している。図４から分かるように、第２のパルスは第１のパルスに比べて短波長（高周波数）である。そして、発生するテラヘルツ波パルスもまた、第２のテラヘルツ波パルスの周波数は第１のテラヘルツ波パルスよりも高周波であることから、第１のパルスを基準に分光した場合、見かけ上、第２のテラヘルツ波パルスの周波数が低周波側にシフトしたように見える。すなわち、図９より、発振するテラヘルツ波パルスもまた、マイクロチップレーザーの縦モード間隔の分だけ周波数が変化することが確認された。
【００３４】
ここで、図１０は計測装置１を示す図、図１１は周波数軸および時間軸でのテラヘルツ波について示した図、図１２はＳＢＤでのテラヘルツ波の検出信号を示す図である。図１０に示す計測装置１は、図９までにおいて説明した、一回の励起行程において、発振波長および発振時間の異なるテラヘルツ波パルスを発生するis-TPGテラヘルツ波光源を用いて、水蒸気量の差分吸収計測を行う。
【００３５】
図１０に示すように、is-TPGテラヘルツ波光源から出射されたテラヘルツ波パルスは、窒素パージされた空間を伝播し、検出器３であるショットキーバリアダイオード（ＳＢＤ）で検出される。is-TPGテラヘルツ波光源からＳＢＤ間のテラヘルツ波の光路中に、大気を取り込めるガスセル２０を設ける。ガスセル２０が窒素パージされた状態から大気を入れ込んだときにテラヘルツ波の強度変化をＳＢＤ検出する。ポンプ光源（励起光源）からは１回の励起で２つのパルスを発振させると、ＳＢＤで検出したテラヘルツ波は、図１２に示すように、時間的に異なるタイミングで検出できる。
【００３６】
ここで、図１３は差分吸収計測におけるテラヘルツ波の周波数の設定を示す図である。差分吸収計測を行う際は、図１３に示すように、第２パルスが測定したいガス（ここでは水蒸気）の吸収周波数になるように設定する。これにより、第１パルスは、ポンプ光源（励起光源）の縦モード間隔の分だけ周波数がずれるため、吸収ピークの裾にかかる形となる。上記設定の元、ポンプ光源を５０Ｈｚの周波数で発振させると、同じ５０Ｈｚの時間間隔で、吸収周波数およびその裾の周波数の２つの周波数の情報を計測することが可能になる。
【００３７】
図１４は、テラヘルツ波パルス強度の時間変化を示す図である。図１４は、上記条件の下、窒素パージしたガスセル２０中に大気を吹き込んだときのそれぞれのパルスの検出強度の時間変化を計測した結果である。吸収帯の裾にかかっている第１パルスは大気を入れることでわずかに強度が変化している一方で、吸収周波数である第２パルスは、大気を入れたタイミングで水蒸気を吸収し、テラヘルツ波の検出強度が大きく下がり、再び窒素が増えると検出強度が増加している。これにより、各テラヘルツ波パルスをポンプ光源の繰り返し周波数で計測できていることが確認できる。
【００３８】
図１５は、図１４の第１パルス−第２パルスの強度の差分を示す図である。図１５より、水蒸気が入ったタイミングで、テラヘルツ波の差分強度が大きく増加しており、ガスセル２０中の早い気体の状態変化を検出できることを示す。また、水蒸気を入れる前の時間帯では、信号強度が揺らいでいる。これは、テラヘルツ波光源および検出器３の揺らぎを示し、この線幅が、定量計測のベースラインとなる。
【００３９】
上記のように、本実施の形態では、１回の励起行程で、少なくとも２つ以上の周波数情報が獲得でき、獲得のための時間間隔が短いことから、分子計測における測定精度が向上される。また、発生するテラヘルツ波の時間間隔は、ショットキーバリアダイオードなどのテラヘルツ波帯で使用される検出器３で検出、時間分解可能な値である。
【符号の説明】
【００４０】
１      計測装置
２      パルス電磁波発生装置
３      検出器
４      パルス光発生装置
５      波長変換部
７      励起光源
８      レーザー共振器
１０    パルス発生部
１１    レーザー光源
１２    波長変換素子
【先行技術文献】
【特許文献】
【００４１】
【特許文献１】特許第３７４７３１９号公報
【図１】
2019160977.tif 000003
【図２】
2019160977.tif 000004
【図３】
2019160977.tif 000005
【図４】
2019160977.tif 000006
【図５】
2019160977.tif 000007
【図６】
2019160977.tif 000008
【図７】
2019160977.tif 000009
【図８】
2019160977.tif 000010
【図９】
2019160977.tif 000011
【図１０】
2019160977.tif 000012
【図１１】
2019160977.tif 000013
【図１２】
2019160977.tif 000014
【図１３】
2019160977.tif 000015
【図１４】
2019160977.tif 000016
【図１５】
2019160977.tif 000017